(57)【要約】【課題】基板と接続部材との密着性を向上させたときでも、基板と被接続部品との電気的な接続信頼性が低下するのを防ぐことができる基板の接続構造、及びこれを用いた表示装置を提供する。【解決手段】異方性導電フィルム（接続部材）２５を用いて、ソース・ゲートドライバ（被接続部品）１６が接続されるアクティブマトリクス基板５の接続構造において、アクティブマトリクス基板５の表面上に形成されるとともに、ソース・ゲートドライバ１６に設けられたバンプ（電極端子）１６ａが電気的に接続される電気配線（電極部）２０と、アクティブマトリクス基板５の表面上に設けられるとともに、異方性導電フィルム２５に固着される有機絶縁膜２４を備え、有機絶縁膜２４及び異方性導電フィルム２５の少なくとも一方に、シランカップリング剤を含ませる。【選択図】図４
2011023510.tif 000002
【特許請求の範囲】
【請求項１】
接続部材を用いて、被接続部品が接続される基板の接続構造であって、
前記基板の表面上に形成されるとともに、前記被接続部品に設けられた電極端子が電気的に接続される電極部と、
前記基板の表面上に設けられるとともに、前記接続部材に固着される有機絶縁膜を備え、
前記有機絶縁膜及び前記接続部材の少なくとも一方に、シランカップリング剤を含ませた、
ことを特徴とする基板の接続構造。
【請求項２】
前記被接続部品が、前記電極端子としてのバンプを有するＩＣチップである請求項１に記載の基板の接続構造。
【請求項３】
前記接続部材として、異方性導電フィルム、異方性導電ペースト、非導電フィルム、及び非導電ペーストのいずれかが用いられている請求項１または２に記載の基板の接続構造。
【請求項４】
請求項１〜３のいずれか１項に記載の基板の接続構造を用いたことを特徴とする表示装置。
【請求項５】
情報を表示する表示部を備えるとともに、
前記表示部には、液晶層及び前記基板としてのアクティブマトリクス基板を有する液晶パネルが用いられ、
前記アクティブマトリクス基板には、前記液晶層を駆動するドライバが前記被接続部品として接続されている請求項４に記載の表示装置。
【請求項６】
前記有機絶縁膜として、前記液晶パネルの有効表示領域内に設けられた有機絶縁膜が用いられている請求項５に記載の表示装置。
【発明の詳細な説明】
【技術分野】
【０００１】
本発明は、基板とＩＣチップ等の被接続部品とを接続する基板の接続構造、特に異方性導電フィルムなどの接続部材を用いて、被接続部品が接続される基板の接続構造、及びこれを用いた表示装置に関する。
【背景技術】
【０００２】
近年、例えば液晶表示装置は、在来のブラウン管に比べて薄型、軽量などの特長を有するフラットパネルディスプレイとして、液晶テレビ、モニター、携帯電話などに幅広く利用されている。このような液晶表示装置では、複数のソース配線及び複数のゲート配線をマトリクス状に配線するとともに、ソース配線とゲート配線との交差部の近傍に薄膜トランジスタ（ＴＦＴ：Thin Film Transistor）等のスイッチング素子を有する画素をマトリクス状に配置したアクティブマトリクス基板を、情報を表示する表示部としての液晶パネルに用いたものが知られている。
【０００３】
また、上記のような液晶パネルには、その液晶層を駆動するために、ソース配線及びゲート配線にそれぞれソース信号及びゲート信号を出力するソースドライバ及びゲートドライバが設けられており、これらのソースドライバ及びゲートドライバは、例えばＣＯＧ（Chip On Glass）実装を用いて、アクティブマトリクス基板に接続されている。
【０００４】
また、従来の基板の接続構造には、例えば下記特許文献１に記載されているように、ガラス基板の表面に設けられた第１の電極に対して、エポキシ樹脂と第１の硬化剤としてのシランカップリング剤と導電性粒子を含有した接着剤（導電ペースト）を塗布することにより、当該第１の電極を覆うように接着剤層を形成する。また、この従来の基板の接続構造では、ガラス基板に接続される被接続部品としてのＴＣＰ（Tape Carrier Package）において、当該ＴＣＰに設けられた第２の電極に対して、第２の硬化剤（例えば、金属キレート）を塗布することにより、当該第２の電極を覆うように第２の硬化剤層を形成する。そして、この従来の基板の接続構造では、上記接着剤層と第２の硬化剤層とを密着させた状態で加熱押圧することにより、上記第１及び第２の硬化剤を反応させ、エポキシ樹脂を重合させる。これにより、この従来の基板の接続構造では、ガラス基板とＴＣＰとの間に設けられる接続部材としての接着剤を低温、短時間で硬化させて、ＴＣＰをガラス基板に接続可能とされていた。
【先行技術文献】
【特許文献】
【０００５】
【特許文献１】特開２００３−２３８９０６号公報
【発明の概要】
【発明が解決しようとする課題】
【０００６】
ところで、上記のような従来の基板の接続構造では、シランカップリング剤を塗布するシランカップリング処理を行うことにより、ガラス基板（基板）と接着剤層（接続部材）との密着性を向上させ、さらにガラス基板とＴＣＰ（被接続部品）との密着性を向上させていた。
【０００７】
ところが、上記のような従来の基板の接続構造では、シランカップリング剤がガラス基板に設けられた第１の電極上に塗布されていたので、当該シランカップリング剤の膜厚によっては、第１及び第２の電極間の接続抵抗値が大きくなり、ガラス基板とＴＣＰとの電気的な接続信頼性が低下するという問題点を発生した。
【０００８】
上記の課題を鑑み、本発明は、基板と接続部材との密着性を向上させたときでも、基板と被接続部品との電気的な接続信頼性が低下するのを防ぐことができる基板の接続構造、及びこれを用いた表示装置を提供することを目的とする。
【課題を解決するための手段】
【０００９】
上記の目的を達成するために、本発明にかかる基板の接続構造は、接続部材を用いて、被接続部品が接続される基板の接続構造であって、
前記基板の表面上に形成されるとともに、前記被接続部品に設けられた電極端子が電気的に接続される電極部と、
前記基板の表面上に設けられるとともに、前記接続部材に固着される有機絶縁膜を備え、
前記有機絶縁膜及び前記接続部材の少なくとも一方に、シランカップリング剤を含ませたことを特徴とするものである。
【００１０】
上記のように構成された基板の接続構造では、上記有機絶縁膜及び接続部材の少なくとも一方に、シランカップリング剤を含ませている。これにより、上記従来例と異なり、基板と接続部材との密着性を向上させたときでも、基板と被接続部品との電気的な接続信頼性が低下するのを防ぐことができる。
【００１１】
また、上記基板の接続構造において、前記被接続部品が、前記電極端子としてのバンプを有するＩＣチップであってもよい。
【００１２】
この場合、密着性及び電気的な接続信頼性に優れたＣＯＧ実装を容易に行うことができる。
【００１３】
また、上記基板の接続構造において、前記接続部材として、異方性導電フィルム、異方性導電ペースト、非導電フィルム、及び非導電ペーストのいずれかが用いられてもよい。
【００１４】
この場合、接続部材は上記有機絶縁膜に対して上記シランカップリング剤によって確実に密着される。
【００１５】
また、本発明の表示装置は、上記いずれかの基板の接続構造を用いたことを特徴とするものである。
【００１６】
上記のように構成された表示装置では、基板と接続部材との密着性を向上させたときでも、基板と被接続部品との電気的な接続信頼性が低下するのを防ぐことができる基板の接続構造が用いられているので、当該表示装置に設けられた基板ではその接続対象の被接続部品に対して、密着性及び電気的な接続信頼性が確保された状態で接続されることができる。その結果、基板と被接続部品との不適切な接続に起因する動作不良の発生が防がれた高性能な表示装置を容易に構成することができる。
【００１７】
また、上記表示装置において、情報を表示する表示部を備えるとともに、
前記表示部には、液晶層及び前記基板としてのアクティブマトリクス基板を有する液晶パネルが用いられ、
前記アクティブマトリクス基板には、前記液晶層を駆動するドライバが前記被接続部品として接続されてもよい。
【００１８】
この場合、アクティブマトリクス基板に対して、ドライバを密着して、かつ、電気的な接続信頼性を確保した状態で接続することができる。
【００１９】
また、上記表示装置において、前記有機絶縁膜として、前記液晶パネルの有効表示領域内に設けられた有機絶縁膜が用いられていることが好ましい。
【００２０】
この場合、基板の接続構造の簡単化を容易に図ることができる。
【発明の効果】
【００２１】
本発明によれば、基板と接続部材との密着性を向上させたときでも、基板と被接続部品との電気的な接続信頼性が低下するのを防ぐことができる基板の接続構造、及びこれを用いた表示装置を提供することが可能となる。
【図面の簡単な説明】
【００２２】
【図１】図１は、本発明の一実施形態にかかる液晶表示装置を説明する図である。
【図２】図２は、図１に示した液晶パネルの要部構成を説明する図である。
【図３】図３は、図１に示したアクティブマトリクス基板に接続されたソース・ゲートドライバ及びＦＰＣを説明する図である。
【図４】図４は、図３のIV−IV線断面図であり、上記アクティブマトリクス基板とソース・ゲートドライバとの接続構造を説明する図である。
【図５】図５は、上記アクティブマトリクス基板における、ソース・ゲートドライバとの接続部分及びその近傍部分を示す平面図である。
【図６】図６は、上記アクティブマトリクス基板における、ＦＰＣとの接続部分及びその近傍部分を示す平面図である。
【発明を実施するための形態】
【００２３】
以下、本発明の基板の接続構造、及び表示装置の好ましい実施形態について、図面を参照しながら説明する。なお、以下の説明では、本発明を透過型の液晶表示装置に適用した場合を例示して説明する。また、各図中の構成部材の寸法は、実際の構成部材の寸法及び各構成部材の寸法比率等を忠実に表したものではない。
【００２４】
図１は、本発明の一実施形態にかかる液晶表示装置を説明する図である。図１において、本実施形態の液晶表示装置１は、図１の上側が視認側（表示面側）として設置される液晶パネル２と、液晶パネル２の非表示面側（図１の下側）に配置されて、当該液晶パネル２を照明する照明光を発生する照明装置３とが設けられている。
【００２５】
液晶パネル２は、一対の基板を構成するＣＦ（Color Filter）基板４及びアクティブマトリクス基板５と、ＣＦ基板４及びアクティブマトリクス基板５の各外側表面にそれぞれ設けられた偏光板６、７とを備えている。ＣＦ基板４とアクティブマトリクス基板５との間には、図示を省略した液晶層が狭持されている。また、ＣＦ基板４及びアクティブマトリクス基板５には、平板状の透明なガラス材またはアクリル樹脂などの透明な合成樹脂が使用されている。偏光板６、７には、ＴＡＣ（トリアセチルセルロース）またはＰＶＡ（ポリビニルアルコール）などの樹脂フィルムが使用されており、液晶パネル２に設けられた表示面の有効表示領域を少なくとも覆うように対応するＣＦ基板４またはアクティブマトリクス基板５に貼り合わせられている。
【００２６】
また、アクティブマトリクス基板５は、上記一対の基板の一方の基板を構成するものであり、アクティブマトリクス基板５では、液晶パネル２の表示面に含まれる複数の画素に応じて、画素電極やＴＦＴ（Thin Film Transistor）などが上記液晶層との間に形成されている（図示せず）。また、このアクティブマトリクス基板５は、本実施形態の接続構造が適用される基板であり、このアクティブマトリクス基板５には、後に詳述するように、異方性導電フィルム（ＡＣＦ；Anisotropic Conductive Film）を用いて、ソース・ゲートドライバがＣＯＧ（Chip On Glass）実装されるようになっている。一方、ＣＦ基板４は、一対の基板の他方の基板を構成するものであり、ＣＦ基板４には、カラーフィルタや対向電極などが上記液晶層との間に形成されている（図示せず）。
【００２７】
また、液晶パネル２では、当該液晶パネル２の駆動制御を行う制御装置（図示せず）に接続されたＦＰＣ（Flexible Printed Circuit）８が設けられており、上記液晶層を画素単位に動作することで表示面を画素単位に駆動して、当該表示面上に所望画像を表示するようになっている。また、このＦＰＣ８は、アクティブマトリクス基板５に対して、本実施形態の接続構造によって互いに接続されている。
【００２８】
尚、液晶パネル２の液晶モードや画素構造は任意である。また、液晶パネル２の駆動モードも任意である。すなわち、液晶パネル２としては、情報を表示できる任意の液晶パネルを用いることができる。それ故、図１においては液晶パネル２の詳細な構造を図示せず、その説明も省略する。
【００２９】
照明装置３は、光源としての発光ダイオード９と、発光ダイオード９に対向して配置された導光板１０とを備えている。また、照明装置３では、断面Ｌ字状のベゼル１４により、導光板１０の上方に液晶パネル２が設置された状態で、発光ダイオード９及び導光板１０が狭持されている。また、ＣＦ基板４には、ケース１１が載置されている。これにより、照明装置３は、液晶パネル２に組み付けられて、当該照明装置３からの照明光が液晶パネル２に入射される透過型の液晶表示装置１として一体化されている。
【００３０】
導光板１０には、例えば透明なアクリル樹脂などの合成樹脂が用いられており、発光ダイオード９からの光が入光される。導光板１０の液晶パネル２と反対側（対向面側）には、反射シート１２が設置されている。また、導光板１０の液晶パネル２側（発光面側）には、レンズシートや拡散シートなどの光学シート１３が設けられており、導光板１０の内部を所定の導光方向（図１の左側から右側への方向）に導かれた発光ダイオード９からの光が均一な輝度をもつ平面状の上記照明光に変えられて液晶パネル２に与えられる。
【００３１】
尚、上記の説明では、導光板１０を有するエッジライト型の照明装置３を用いた構成について説明したが、本実施形態はこれに限定されるものではなく、直下型の照明装置を用いてもよい。また、発光ダイオード以外の冷陰極蛍光管や熱陰極蛍光管などの他の光源を有する照明装置も用いることができる。
【００３２】
次に、図２も参照して、液晶パネル２について具体的に説明する。
【００３３】
図２は、図１に示した液晶パネルの要部構成を説明する図である。
【００３４】
図２において、液晶表示装置１（図１）には、文字や画像等の情報を表示する上記表示部としての液晶パネル２（図１）の駆動制御を行うパネル制御部１５と、このパネル制御部１５からの指示信号を基に動作するソース・ゲートドライバ１６が設けられている。このソース・ゲートドライバ１６は、上記液晶層を駆動するドライバを構成するものであり、後述のソース配線及びゲート配線にそれぞれ指示信号を出力するソースドライバ及びゲートドライバを一体的に構成したＩＣチップからなる。
【００３５】
パネル制御部１５には、液晶表示装置１の外部からの映像信号が入力されるようになっている。また、パネル制御部１５は、入力された映像信号に対して所定の画像処理を行って、ソース・ゲートドライバ１６への指示信号を生成する画像処理部１５ａと、入力された映像信号に含まれた１フレーム分の表示データを記憶可能なフレームバッファ１５ｂとを備えている。そして、パネル制御部１５が、入力された映像信号に応じて、ソース・ゲートドライバ１６の駆動制御を行うことにより、その映像信号に応じた情報が液晶パネル２に表示される。
【００３６】
ソース・ゲートドライバ１６は、上述したように、ＣＯＧ実装を用いて、アクティブマトリクス基板５に設置されている。また、このソース・ゲートドライバ１６は、液晶パネル２の有効表示領域Ａ内に設けられた複数の画素Ｐを画素単位に駆動する駆動回路であり、ソース・ゲートドライバ１６には、複数のソース配線Ｓ１〜ＳＭ（Ｍは、２以上の整数、以下、“Ｓ”にて総称する。）及び複数のゲート配線Ｇ１〜ＧＮ（Ｎは、２以上の整数、以下、“Ｎ”にて総称する。）がそれぞれ接続されている。
【００３７】
また、ソース配線Ｓ及びゲート配線Ｇは、少なくとも有効表示領域Ａ内において、マトリクス状に配列されており、当該マトリクス状に区画された各領域には、上記複数の各画素Ｐの領域が形成されている。また、複数の画素Ｐには、赤色、緑色、及び青色の画素が含まれている。また、これらの赤色、緑色、及び青色の画素は、例えばこの順番で、各ゲート配線Ｇに平行に順次配設されている。
【００３８】
また、ゲート配線Ｇには、画素Ｐ毎に設けられたスイッチング素子１７のゲートが接続されている。一方、ソース配線Ｓには、スイッチング素子１７のソースが接続されている。また、各スイッチング素子１７のドレインには、画素Ｐ毎に設けられた画素電極１８が接続されている。また、各画素Ｐでは、共通電極１９が液晶パネル２に設けられた上記液晶層を間に挟んだ状態で画素電極１８に対向するように構成されている。そして、ソース・ゲートドライバ１６は、画像処理部１５ａからの指示信号に基づいて、ゲート配線Ｇ１〜ＧＮに対して、対応するスイッチング素子１７のゲートをオン状態にする走査信号を順次出力する。また、ソース・ゲートドライバ１６は、画像処理部１５ａからの指示信号に基づいて、表示画像の輝度（階調）に応じた電圧信号（階調電圧）を対応するソース配線Ｓ１〜ＳＭに出力する。
【００３９】
次に、図３乃至図６も参照して、本実施形態の基板の接続構造について具体的に説明する。
【００４０】
図３は、図１に示したアクティブマトリクス基板に接続されたソース・ゲートドライバ及びＦＰＣを説明する図である。図４は、図３のIV−IV線断面図であり、上記アクティブマトリクス基板とソース・ゲートドライバとの接続構造を説明する図である。図５は、上記アクティブマトリクス基板における、ソース・ゲートドライバとの接続部分及びその近傍部分を示す平面図である。図６は、上記アクティブマトリクス基板における、ＦＰＣとの接続部分及びその近傍部分を示す平面図である。
【００４１】
図３に示すように、アクティブマトリクス基板５では、有効表示領域Ａの外側にソース・ゲートドライバ１６が設けられている。また、アクティブマトリクス基板５には、ＦＰＣ８が接続されており、上記制御装置に含まれたパネル制御部１５からの指示信号がソース・ゲートドライバ１６に入力されるようになっている。
【００４２】
また、図４に例示するように、アクティブマトリクス基板５の表面上には、複数の電気配線２０が所定の間隔をおいて形成されている。これら電気配線２０は、上記ソース配線Ｓ及び／またはゲート配線Ｇであり、アクティブマトリクス基板５側に設けられた電極部を構成している。また、アクティブマトリクス基板５の表面上では、隣接する２つの電気配線２０の間において、絶縁膜２１が形成されている。また、電気配線２０の上方には、ＩＴＯ（Indium Tin Oxide）膜２２が設けられている。さらに、アクティブマトリクス基板５の表面上では、絶縁膜２１上（すなわち、隣接する２つの電気配線２０の間）に有機絶縁膜２４が設けられている。これらの電気配線２０、絶縁膜２１、ＩＴＯ膜２２、及び有機絶縁膜２４は、液晶パネル２の有効表示領域Ａ内（つまり、上記液晶層の内部）に設けられたものであり、当該有効表示領域Ａの外側に引き出されて、有効表示領域Ａの外側でアクティブマトリクス基板５の表面上に形成されたものである。
【００４３】
具体的にいえば、図５に示すように、アクティブマトリクス基板５の表面上では、複数の電気配線２０及び複数のＩＴＯ膜２２がこの順番で積層された状態で、有効表示領域Ａの内側からソース・ゲートドライバ１６のバンプ１６ａ（図４）の形成位置まで引き出されている。また、各電気配線２０及び各ＩＴＯ膜２２では、同図５に示すように、その端部の面積が他の部分のものに比べ大きくされて端子部として構成されており、上記バンプ１６ａとの電気的な接続を確実に行えるようになっている。また、アクティブマトリクス基板５の表面上では、絶縁膜２１及び有機絶縁膜２４がこの順番で有効表示領域Ａの内側から当該アクティブマトリクス基板５の縁（図３の下端）まで引き出されている。
【００４４】
また、アクティブマトリクス基板５の表面上では、図５に示すように、ソース・ゲートドライバ１６とＦＰＣ８（図３）との接続を行うために、複数の配線２６が設けられている。各配線２６では、同図５に示すように、その端部の面積が他の部分のものに比べ大きくされて端子部として構成されており、ソース・ゲートドライバ１６側に設けられたバンプとの電気的な接続を確実に行えるようになっている。さらに、各配線２６の端子部と上記バンプとの接続は、図４に例示した電気配線２０とバンプ１６ａと同様に、異方性導電フィルム２５を用いた本実施形態の基板の接続構造によって行われている。
【００４５】
さらに、アクティブマトリクス基板５の表面上では、図６に示すように、複数の配線２６はＦＰＣ８に設けられた複数の配線２７にそれぞれ接続されている。すなわち、各配線２６では、同図６に示すように、その端部の面積が他の部分のものに比べ大きくされて端子部として構成されており、ＦＰＣ８側の配線２７との電気的な接続を確実に行えるようになっている。さらに、各配線２７の端子部と配線２７との接続は、図４に例示した電気配線２０とバンプ１６ａと同様に、異方性導電フィルム２５を用いた本実施形態の基板の接続構造によって行われている。
【００４６】
また、有機絶縁膜２４には、例えばアクリル系の合成樹脂が用いられており、有機絶縁膜２４は、例えば３μｍ程度の膜厚で絶縁膜２１上に形成されている。さらに、この有機絶縁膜２４には、例えばアミノ系またはエポキシ系のシランカップリング剤が含有されており、アクティブマトリクス基板５と接続部材としての上記異方性導電フィルム２５との密着性の向上が図られている。
【００４７】
また、本実施形態の基板の接続構造では、異方性導電フィルム２５がアクティブマトリクス基板５とソース・ゲートドライバ１６との間に配置されており、これらのアクティブマトリクス基板５とソース・ゲートドライバ１６とを接続するようになっている。この異方性導電フィルム２５には、例えばエポキシ系の合成樹脂と所定の金属によって構成された導電性粒子２５ａとが含まれている。
【００４８】
具体的にいえば、本実施形態の基板の接続構造では、異方性導電フィルム２５がアクティブマトリクス基板５の上方に配置された後、異方性導電フィルム２５の上方からソース・ゲートドライバ１６を熱圧着することにより、異方性導電フィルム２５を介してアクティブマトリクス基板５側の電気配線２０とソース・ゲートドライバ１６に設けられた電極端子としてのバンプ１６ａが電気的に接続される。すなわち、図４に示すように、バンプ１６ａは、異方性導電フィルム２５に含まれた導電性粒子２５ａ及びＩＴＯ膜２２を介して電気配線２０に電気的に接続されている。また、本実施形態の基板の接続構造では、異方性導電フィルム２５に含まれた上記合成樹脂は有機絶縁膜２４に含有されたシランカップリング剤によって密着性が高められた状態で、互いに接合されている。
【００４９】
以上のように構成された本実施形態の基板の接続構造では、液晶パネル２の有効表示領域Ａ内に設けられた有機絶縁膜２４を当該有効表示領域Ａの外側に引き出して、有効表示領域Ａの外側に形成するとともに、この有機絶縁膜２４にシランカップリング剤を含ませている。これにより、本実施形態の基板の接続構造では、上記従来例と異なり、図４に例示したように、シランカップリング剤がバンプ（電極端子）１６ａと電気配線（電極部）２０との間に介在するのを防ぐことができる。この結果、本実施形態の基板の接続構造では、上記従来例と異なり、アクティブマトリクス基板（基板）５と異方性導電フィルム（接続部材）２５との密着性を向上させたときでも、アクティブマトリクス基板５とソース・ゲートドライバ（被接続部品）１６との電気的な接続信頼性が低下するのを防ぐことができる。
【００５０】
また、本実施形態では、ソース・ゲートドライバ１６が電極端子としてのバンプ１６ａを有するＩＣチップによって構成されているので、本実施形態では、密着性及び電気的な接続信頼性に優れたＣＯＧ実装を容易に行うことができる。
【００５１】
また、本実施形態の液晶表示装置１では、アクティブマトリクス基板５と異方性導電フィルム２５との密着性を向上させたときでも、アクティブマトリクス基板５とソース・ゲートドライバ１６との電気的な接続信頼性が低下するのを防ぐことができる基板の接続構造が用いられているので、当該液晶表示装置１に設けられたアクティブマトリクス基板５ではその接続対象のソース・ゲートドライバ１６に対して、密着性及び電気的な接続信頼性が確保された状態で接続されることができる。その結果、アクティブマトリクス基板５とソース・ゲートドライバ１６との不適切な接続に起因する動作不良の発生が防がれた高性能な液晶表示装置１を容易に構成することができる。
【００５２】
尚、上記の実施形態はすべて例示であって制限的なものではない。本発明の技術的範囲は特許請求の範囲によって規定され、そこに記載された構成と均等の範囲内のすべての変更も本発明の技術的範囲に含まれる。
【００５３】
例えば、上記の説明では、本発明を透過型の液晶表示装置に適用した場合について説明したが、本発明の表示装置はこれに限定されるものではなく、例えば半透過型や反射型の液晶表示装置、有機ＥＬ（Electronic Luminescence）、ＰＤＰ（Plasma Display Panel）等の各種表示装置に適用することができる。
【００５４】
また、上記の説明では、有機絶縁膜に、シランカップリング剤を含ませるとともに、接続部材としての異方性導電フィルム（ＡＣＦ）を用いて、アクティブマトリクス基板（基板）に対して、被接続部品としてのソース・ゲートドライバを接続する構成について説明した。しかしながら、本発明の基板の接続構造は、接続部材を用いて、被接続部品が接続される基板の接続構造において、基板の表面上に形成されるとともに、被接続部品に設けられた電極端子が電気的に接続される電極部と、基板の表面上に設けられるとともに、接続部材に固着される有機絶縁膜を備え、有機絶縁膜及び接続部材の少なくとも一方に、シランカップリング剤を含ませたものであれば何等限定されない。
【００５５】
具体的にいえば、ソースドライバ及びゲートドライバを一体的に構成したＩＣチップからなるソース・ゲートドライバを被接続部品に用いた場合について説明したが、本発明の被接続部品はこれに限定されるものではなく、別々に構成されたソースドライバ及びゲートドライバの各々を被接続部品としてアクティブマトリクス基板に接続する構成でもよい。また、これらのソースドライバ及びゲートドライバ各々を、基板としてのフレキシブル回路基板に接続したり、被接続部品としてのフレキシブル回路基板を、基板としてのアクティブマトリクス基板に接続したりすることもできる。また、２つのプリント回路基板どうしを、基板及び被接続部品として接続することもできる。
【００５６】
また、上記の説明では、異方性導電フィルム（ＡＣＦ）を接続部材として用いた場合について説明したが、本発明の接続部材はこれに限定されるものではなく、例えば異方性導電ペースト（ＡＣＰ；Anisotropic Conductive Paste）、非導電フィルム（ＮＣＦ；Non-Conductive Film）、及び非導電ペースト（ＮＣＰ；Non-Conductive Paste）のいずれかを接続部材として用いてもよい。このように異方性導電フィルム、異方性導電ペースト、非導電フィルム、及び非導電ペーストのいずれかを接続部材に用いた場合には、当該接続部材は上記有機絶縁膜に対して上記シランカップリング剤によって確実に密着される点で好ましい。
【００５７】
また、上記の説明以外に接続部材及び／または有機絶縁膜にシランカップリング剤を含ませてもよい。
【００５８】
また、上記の説明では、ＩＴＯ膜を介在させて、電極部としての電気配線と電極端子としてのバンプを電気的に接続する構成について説明したが、本発明はこれに限定されるものではなく、電極部と電極端子とを直接的に接触させて、これらの電極部と電極端子とを電気的に接続する構成でもよい。
【００５９】
また、上記の説明では、液晶パネルの有効表示領域内に設けられた有機絶縁膜を用いた構成について説明したが、本発明の有機絶縁膜は基板の表面上に設けられて、接続部材に固着されるものであればよく、上記有効表示領域内に設けられた有機絶縁膜とは別個のものを用いることもできる。
【００６０】
但し、上記のように、液晶パネルの有効表示領域内に設けられた有機絶縁膜を用いる場合の方が、基板の接続構造の簡単化、ひいては表示装置の構造の簡単化を容易に図ることができる点で好ましい。
【産業上の利用可能性】
【００６１】
本発明は、基板と接続部材との密着性を向上させたときでも、基板と被接続部品との電気的な接続信頼性が低下するのを防ぐことができる基板の接続構造、及びこれを用いた表示装置に対して有用である。
【符号の説明】
【００６２】
１  液晶表示装置（表示装置）
２  液晶パネル（表示部）
５  アクティブマトリクス基板（基板）
１６  ソース・ゲートドライバ（被接続部品、ＩＣチップ）
１６ａ  バンプ（電極端子）
２０  電気配線（電極部）
２４  有機絶縁膜
２５  異方性導電フィルム（接続部材）
【図１】
2011023510.tif 000003
【図２】
2011023510.tif 000004
【図３】
2011023510.tif 000005
【図４】
2011023510.tif 000006
【図５】
2011023510.tif 000007
【図６】
2011023510.tif 000008